(57)【特許請求の範囲】
【請求項１】
バッテリモジュールを収容するためのバッテリケースであって、
下端部を内側に折り曲げてなる第１のフランジ部を有する筒状体と、
前記第１のフランジ部と向かい合うよう、前記筒状体の下部開口部を閉塞する底板と、
前記第１のフランジ部と前記底板の間に設けられた可撓性を有する防水部材と、
前記筒状体と前記底板の接続界面を覆う防水板と、を備え、
前記筒状体は、前記筒状体を構成する部材のつなぎ目を有し、
前記防水部材は、前記第１のフランジ部と前記底板の間に位置する第１の部分と、前記第１の部分から前記筒状体の外側に突出する第２の部分とを有し、
前記防水部材の前記第２の部分は、前記つなぎ目を覆うよう前記筒状体側に折り曲げられ、
前記防水板は、前記防水部材の前記第２の部分と重なるように設けられていることを特徴とするバッテリケース。
【請求項２】
前記筒状体は、筒状に巻回された一枚の金属板からなり、
前記つなぎ目は、前記筒状体を構成する部材の巻締め部によって構成されることを特徴とする請求項１に記載のバッテリケース。
【請求項３】
前記つなぎ目と交差する前記防水板の上端が傾斜していることを特徴とする請求項１又は２に記載のバッテリケース。
【請求項４】
前記底板は、前記筒状体の下部開口部を閉塞する主面と、前記主面の外周を折り曲げてなる第２のフランジ部とを有し、
前記防水板は、前記第２のフランジ部にネジ止めされることを特徴とする請求項１〜３のいずれか一項に記載のバッテリケース。
【請求項５】
前記筒状体の外表面は、疎水性または撥水性の表面処理が施されていることを特徴とする請求項１〜４のいずれか一項に記載のバッテリケース。
【請求項６】
請求項１〜５のいずれか一項に記載のバッテリケースと、前記バッテリケースに収容されたバッテリモジュールとを備える蓄電池システム。
【発明の詳細な説明】
【技術分野】
【０００１】
本発明はバッテリケースに関し、特に、バッテリケースを構成する部材間が防水された構造を有するバッテリケース及びこれを用いた蓄電池システムに関する。
【背景技術】
【０００２】
バッテリモジュールを収容するバッテリケースは、外部からの水分の侵入を防止すべく、バッテリケースを構成する部材間が防水部材によって封止されることがある。例えば、特許文献１に記載されたバッテリケースは、筒状体と底板の間にウレタンフォームを介在させることによって、筒状体と底板の界面を防水している。
【先行技術文献】
【特許文献】
【０００３】
【特許文献１】特表２０１９−５１４１６９号公報
【発明の概要】
【発明が解決しようとする課題】
【０００４】
しかしながら、比較的サイズの大きいバッテリケースにおいては、筒状体を単一部材によって構成することは現実的でなく、部材間を接続するつなぎ目が不可避的に存在する。この場合、筒状体のつなぎ目近傍において筒状体と底板の間に隙間が生じやすく、この隙間から水分が侵入するおそれがあった。
【０００５】
したがって、本発明は、つなぎ目を有する筒状体と筒状体を閉塞する底板とを有するバッテリケース及びこれを用いた蓄電池システムにおいて、つなぎ目近傍における防水性を高めることを目的とする。
【課題を解決するための手段】
【０００６】
本発明によるバッテリケースは、バッテリモジュールを収容するためのバッテリケースであって、下端部を内側に折り曲げてなる第１のフランジ部を有する筒状体と、第１のフランジ部と向かい合うよう筒状体の下部開口部を閉塞する底板と、第１のフランジ部と底板の間に設けられた可撓性を有する防水部材と、筒状体と底板の接続界面を覆う防水板とを備え、筒状体は、筒状体を構成する部材のつなぎ目を有し、防水部材は、第１のフランジ部と底板の間に位置する第１の部分と、第１の部分から筒状体の外側に突出する第２の部分とを有し、防水部材の第２の部分は、つなぎ目を覆うよう筒状体側に折り曲げられ、防水板は、防水部材の第２の部分と重なるように設けられていることを特徴とする。また、本発明による蓄電池システムは、上記のバッテリケースと、筐体本体に収容されたバッテリモジュールとを備える。
【０００７】
本発明によれば、つなぎ目を覆うよう防水部材の第２の部分が筒状体側に折り曲げられ、且つ、防水部材の第２の部分と重なるよう防水板が設けられていることから、筒状体のつなぎ目近傍において生じる筒状体と底板の間の隙間を確実に閉塞することが可能となる。これにより、高い防水性を得ることが可能となる。
【０００８】
本発明において、筒状体は筒状に巻回された一枚の金属板からなり、つなぎ目は筒状体を構成する部材の巻締め部によって構成されるものであっても構わない。これによれば、より高い防水性を得ることできるとともに、部品点数が少ないことから軽量化を図ることが可能となる。また、一枚の金属板を折り曲げることによって筒状体を作製することができるため、製造コストも低減される。
【０００９】
本発明において、つなぎ目と交差する防水板の上端は傾斜していても構わない。これによれば、つなぎ目に沿って下方に流れる雨水などが防水板の上端に溜まることなく、防水板の傾斜した上端に沿って排出される。
【００１０】
本発明において、底板は、筒状体の下部開口部を閉塞する主面と、主面の外周を折り曲げてなる第２のフランジ部とを有し、防水板は、第２のフランジ部にネジ止めされていても構わない。これによれば、防水板をネジ止めするためのネジ穴を筒状体に設ける必要がないことから、高い防水性を確保することが可能となる。
【００１１】
本発明において、筒状体の外表面は疎水性または撥水性の表面処理が施されていても構わない。これによれば、筒状体と底板の間に生じ得る隙間に雨水などが到達しにくくなる。
【発明の効果】
【００１２】
このように、本発明によれば、つなぎ目を有する筒状体と筒状体を閉塞する底板とを有するバッテリケース及びこれを用いた蓄電池システムにおいて、つなぎ目近傍における防水性を高めることが可能となる。
【図面の簡単な説明】
【００１３】
【図１】図１は、本発明の一実施形態によるバッテリケース１の外観を示す略斜視図であり、正面側から見た図である。
【図２】図２は、バッテリケース１の外観を示す略斜視図であり、背面側から見た図である。
【図３】図３は、筒状体１０の構造を説明するための略斜視図である。
【図４】図４は、筒状体１０の構造を説明するための略斜視図である。
【図５】図５は、底板３０の構造を説明するための略斜視図である。
【図６】図６は、巻締め部１２ｃの下端近傍の拡大図である。
【図７】図７は、図６の略分解斜視図である。
【図８】図８は、防水部材６０の形状を説明するための略斜視図である。
【図９】図９は、図８の部分拡大図である。
【図１０】図１０は、防水板５０を取り付ける前の状態を示す略斜視図である。
【発明を実施するための形態】
【００１４】
以下、添付図面を参照しながら、本発明の好ましい実施形態について詳細に説明する。
【００１５】
図１及び図２は、本発明の一実施形態によるバッテリケース１の外観を示す略斜視図であり、図１は正面側から見た図、図２は背面側から見た図である。
【００１６】
図１及び図２に示すように、本実施形態によるバッテリケース１は、筒状体１０、天板２０及び底板３０からなる筐体本体２と、筐体本体２に固定された配線管カバー４０とを備える。これら各部材１０，２０，３０，４０は、いずれも金属材料からなる。バッテリケース１内には、バッテリモジュールＢ１，Ｂ２や制御ボックスＨが収容され、これにより蓄電池システムが構成される。バッテリケース１は、固定金具６を介して土台７に固定される。さらに、バッテリケース１には、制御ボックスＨに接続される配線管８が設けられている。配線管８は、配線管カバー４０によって覆われる。
【００１７】
図３及び図４は、筒状体１０の構造を説明するための略斜視図である。
【００１８】
図３及び図４に示すように、筒状体１０は、一枚の金属板、例えば先塗装材が筒状に折り曲げ加工された部材であり、正面板１１、背面板１２、側面板１３，１４を備えている。背面板１２は、巻始め側背面板１２ａと巻終わり側背面板１２ｂからなり、巻始め側背面板１２ａの端部と巻終わり側背面板１２ｂの端部が巻締められた構成を有している。このため、背面板１２にはＺ方向に延在する巻締め部１２ｃが形成される。巻締め部１２ｃは、巻始め側背面板１２ａと巻終わり側背面板１２ｂのつなぎ目であり、図示しない防水部材を介して巻締め加工を行うことにより防水される。
【００１９】
正面板１１及び背面板１２はＸＺ面を構成し、側面板１３，１４はＹＺ面を構成する。したがって、正面板１１及び背面板１２と側面板１３，１４は互いに垂直である。正面板１１と背面板１２はＹ方向に向かい合い、側面板１３と側面板１４はＸ方向に向かい合う。本実施形態において用いる筒状体１０は、Ｙ方向における長さ（奥行き）よりも、Ｘ方向における長さ（幅）の方が大きい。つまり、ＸＺ面が長側面を構成し、ＹＺ面が短側面を構成する。
【００２０】
このように、本実施形態においては、一枚の金属板が折り曲げ加工され、巻締め加工によって筒状に成形された筒状体１０を用いていることから、筒状体１０には巻締め部１２ｃからなるつなぎ目が１箇所しか存在せず、高い防水性を得ることが可能となる。特に、筒状体１０の材料として先塗装材を使用すれば、大幅なコストダウンが図ることができる。
【００２１】
筒状体１０の側面板１３には配線管８を通すための開口部１３ａが設けられている。配線管８は、動力線を通すための配線管と、信号線を通すための配線管に分かれている。筐体本体２に配線管カバー４０が取り付けられると、配線管８及び開口部１３ａが配線管カバー４０で覆われ、これにより筐体本体２への水分や粉塵の侵入が防止される。
【００２２】
図３及び図４に示すように、筒状体１０は、Ｚ方向における上端部を内側に折り曲げてなるフランジ部１５と、Ｚ方向における下端部を内側に折り曲げてなるフランジ部１６をさらに有している。フランジ部１５，１６はＸＹ面を構成し、それぞれ天板２０及び底板３０の接続面として用いられる。このように、筒状体１０は、単なる平板を筒状に成形したものではなく、内側に折り曲げられてなるフランジ部１５，１６を有していることから、巻締め部１２ｃの上下端部、つまり、巻締め部１２ｃとフランジ部１５，１６の境界部分において隙間が生じやすい。
【００２３】
図５は、底板３０の構造を説明するための略斜視図である。
【００２４】
図５に示すように、底板３０は、筒状体１０の下部開口部を閉塞する主面３１と、主面３１の外周を折り曲げてなるフランジ部３２とを有している。主面３１はＸＹ面を構成し、フランジ部３２はＸＺ面又はＹＺ面を構成する。そして、底板３０の主面３１は、筒状体１０のフランジ部１６と向かい合うよう筒状体１０の下部開口部を閉塞する。底板３０の主面３１と筒状体１０のフランジ部１６の間には、後述する防水部材が配置され、これによって両者の界面における防水性が確保されている。天板２０についても、底板３０と同様の構成を有しており、筒状体１０のフランジ部１５と向かい合うよう筒状体１０の上部開口部を閉塞する。
【００２５】
図６は巻締め部１２ｃの下端近傍の拡大図であり、図７は図６の略分解斜視図である。
【００２６】
図６及び図７に示すように、巻締め部１２ｃの下端近傍には、筒状体１０と底板３０の接続界面を覆う防水板５０が固定される。防水板５０は金属などからなり、巻締め部１２ｃの下端と重なるよう、筒状体１０と底板３０の接続界面を覆う。防水板５０の固定は、底板３０のフランジ部３２に設けられたネジ穴５３にネジ５１を螺着することによって行われる。このように、防水板５０を底板３０のフランジ部３２にネジ止めすれば、防水板５０を固定するためのネジ穴を筒状体１０に設ける必要がなくなり、筒状体１０の防水性が確保される。
【００２７】
防水板５０と背面板１２の間には、防水両面テープなどからなる防水部材６０が配置される。防水部材６０は巻締め部１２ｃの下端を覆っており、これにより、巻締め部１２ｃの下端と底板３０の間に生じ得る隙間が閉塞される。また、防水板５０とフランジ部３２の間に隙間が生じないよう、防水板５０とフランジ部３２の間に補助板５２を配置しても構わない。
【００２８】
図８は防水部材６０の形状を説明するための略斜視図であり、図９は図８の部分拡大図である。
【００２９】
防水部材６０は防水両面テープなど可撓性を有する防水材料からなり、図８及び図９に示すように、筒状体１０のフランジ部１６に沿って貼り付けられた第１の部分６１と、第１の部分６１から筒状体１０の外側（Ｙ方向）に突出する第２の部分６２とを有している。防水部材６０の第２の部分６２は、巻締め部１２ｃを覆うよう上側（筒状体側）に折り曲げられ、巻締め部１２ｃと重なるよう背面板１２に接着される。そして、筒状体１０のフランジ部１６に防水部材６０を貼り付けた状態で筒状体１０に底板３０を固定すると、筒状体１０のフランジ部１６と底板３０の主面３１の間に防水部材６０の第１の部分６１が配置され、これにより、両者の界面が防水される。このとき、防水部材６０の第１の部分６１は、防水効果向上の観点から、フランジ部１６とこれに対向する底板３０の主面３１の全周にわたって隙間が生じないよう設けることが好ましい。また、筒状体１０のフランジ部１６と底板３０の主面３１とを、両者の間に防水部材６０の第１の部分６１を挟んだ状態でネジあるいはリベットで締め付けてもよい。これにより、両者の界面の防水をさらに強化することができる。両者の界面から突出する第２の部分６２は、図１０に示すように筒状体１０側に折り曲げられる。
【００３０】
そして、図６及び図７に示すように、防水板５０は防水部材６０の第２の部分６２と重なるよう、筐体本体２に固定される。防水板５０は、第２の部分６２の全体と重なっており、防水板５０が取り付けられると、第２の部分６２は防水板５０によって完全に覆われる。このような構造により、巻締め部１２ｃの下端と底板３０の間に生じ得る隙間が防水部材６０によって閉塞されるだけでなく、防水部材６０の第２の部分６２が防水板５０によって押さえつけられることから、高い防水性を得ることが可能となる。
【００３１】
さらに、本実施形態においては、巻締め部１２ｃと交差する防水板５０の上端５０ａが傾斜している。具体的には、防水板５０の上端５０ａは、巻締め部１２ｃと重なる部分において最も高い位置にあり、巻締め部１２ｃから離れるにしたがって高さが低くなる傾斜形状を有している。これにより、毛細管現象によって巻締め部１２ｃに集まった水滴が巻締め部１２ｃを伝って流れたとしても、防水板５０の傾斜した上端５０ａによって水滴がＹ方向両側に排出されるため、防水部材６０で覆われた部分に水分が到達しにくくなる。特に、筒状体１０の外表面に疎水性または撥水性の表面処理を施せば、その効果はより高くなる。
【００３２】
以上説明したように、本実施形態によるバッテリケース１は、第１及び第２の部分６１，６２を有する防水部材６０を用い、筒状体１０側に折り曲げた第２の部分を防水板５０で覆っていることから、巻締め部１２ｃの下端と底板３０の間に生じ得る隙間を確実に防水することが可能となる。しかも、防水部材６０は一体的な構造を有していることから、第１の部分６１と第２の部分が別の部材からなる場合に生じる隙間や段差が形成されることもない。尚、防水板５０及び防水部材６０を用いた上記の防水構造は、巻締め部１２ｃの上端と天板２０の間に生じ得る隙間に対しても施すことが可能である。この場合、防水板５０を巻締め部１２ｃの上端と下端にそれぞれ設けても構わないし、巻締め部１２ｃの全体を覆う縦長の防水板５０を用いても構わない。
【００３３】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００３４】
１    バッテリケース
２    筐体本体
６    固定金具
７    土台
８    配線管
１０    筒状体
１１    正面板
１２    背面板
１２ａ    巻始め側背面板
１２ｂ    巻終わり側背面板
１２ｃ    巻締め部
１３，１４    側面板
１３ａ    開口部
１５，１６    フランジ部
２０    天板
３０    底板
３１    主面
３２    フランジ部
４０    配線管カバー
５０    防水板
５０ａ    防水板の上端
５１    ネジ
５２    補助板
５３    ネジ穴
６０    防水部材
６１    第１の部分
６２    第２の部分
Ｂ１，Ｂ２    バッテリモジュール
Ｈ    制御ボックス
【要約】
【課題】つなぎ目を有する筒状体と筒状体を閉塞する底板とを有するバッテリケースにおいて防水性を高める。
【解決手段】バッテリケース１は、フランジ部１６を有する筒状体１０と、フランジ部１６と向かい合うよう筒状体１０を閉塞する底板３０と、フランジ部１６と底板３０の間に設けられた防水部材６０と、防水板５０とを備える。防水部材６０は、筒状体１０の外側に突出する第２の部分６２を有する。第２の部分６２は筒状体１０のつなぎ目である巻締め部１２ｃを覆うよう折り曲げられる。防水板５０は第２の部分６２と重なるように設けられる。これにより、筒状体１０のつなぎ目近傍において生じる筒状体１０と底板３０の間の隙間を確実に閉塞することが可能となり、高い防水性が得られる。
【選択図】図６【図１】
0006927402.tif 000002
【図２】
0006927402.tif 000003
【図３】
0006927402.tif 000004
【図４】
0006927402.tif 000005
【図５】
0006927402.tif 000006
【図６】
0006927402.tif 000007
【図７】
0006927402.tif 000008
【図８】
0006927402.tif 000009
【図９】
0006927402.tif 000010
【図１０】
0006927402.tif 000011